(57)【要約】【課題】壁際に沿って天井に埋め込んで使用する照明器具であって容易に蛍光ランプの交換を行うことができる照明器具を提供する。【解決手段】蛍光ランプ３２は、器具本体２０の第１の側板２１に取り付けられたソケット取付金具３０のソケット３１に着脱可能に装着される。蛍光ランプ３２の上方には、器具本体２０の天板２３があり、上方から前方には、蛍光ランプ３２の光を下方へ反射する反射板２４がある。蛍光ランプ３２の下方には、蛍光ランプ３２の前方まで突出し、回動可能な遮光板２５がある。そして、ソケット取付金具３０から延出した延出部３５を設けるとともに、遮光板２５に取付部２７２が固定されたバネ部材２７を延出部３５により離脱可能に係止されるようにしたので、遮光板２５を閉じた状態で保持できる。また、バネ部材２７を延出部３５から離脱させることにより、遮光板２５を開閉することができる。これにより、遮光板２５を開けて蛍光ランプ３２を容易に交換することができる。【選択図】図２
2010244991.tif 000002
【特許請求の範囲】
【請求項１】
長尺板状の第１の側板及び第２の側板、並びに両側板の上端部を連結する長尺板状の天板を有し、前記第１の側板を壁面に当接させて天井面に埋込配設される下面を開口した長尺箱形の器具本体と、
前記第１の側板に取り付けられたソケット取付金具に取り付けられ、直管形の蛍光ランプが着脱自在に装着されるソケットと、
前記器具本体内部において前記天板及び前記第２の側板と前記蛍光ランプとの間の空間に設けられて前記蛍光ランプからの光を下方へ拡散して反射する反射板と、
前記第１の側板に設けられて前記壁面に垂直な方向において前記蛍光ランプの反射板側の端面よりも突出し且つ前記蛍光ランプの下方を覆い、前記第１の側板との取付部を支点として上下方向へ回動可能に支持された遮光板と、を備え、
前記器具本体を長手方向へ連結して使用する照明器具であって、
前記ソケット取付金具から延出した延出部を設け、
前記遮光板に一端が固定され、前記延出部に離脱可能に係止されて閉じた状態を維持可能なバネ部材を設けたことを特徴とする照明器具。
【請求項２】
前記ソケット取付金具の前記延出部が、前記蛍光ランプの光を外部に漏らさない構造であることを特徴とする請求項１記載の照明器具。
【請求項３】
前記取付部が、光を通さない構造であることを特徴とする請求項1または２記載の照明器具。
【発明の詳細な説明】
【技術分野】
【０００１】
本発明は、壁際の天井に埋込配設され、長手方向へ連結して使用する間接照明用の照明器具に関するものである。
【背景技術】
【０００２】
従来から、蛍光ランプ等の光源からの光を遮光して直接光を避け、天井や壁などに反射させて間接光とする間接照明用の照明器具がある（例えば特許文献１参照）。
図１３に示すように、特許文献１に記載の照明器具は、直管形の蛍光ランプ１００が装着されている器具本体１０１と、壁面１０４に垂直な方向において蛍光ランプ１００を挟んで器具本体１０１と対向して設けられる反射板１０２と、器具本体１０１の下面に設けられて壁面１０４に垂直な方向において蛍光ランプ１００の反射板１０２側の端面よりも突出し且つ器具本体１０１及び蛍光ランプ１００の下方を覆う遮光性のカバー１０３とを備える。そして、カバー１０３よりも前方位置において蛍光ランプ１００に対向して、蛍光ランプ１００の光を上方へ反射する上方反射板１０５と、下方へ反射する下方反射板１０６が設けられている。
【０００３】
これにより、上方への照明は、蛍光ランプ１００からの直接光と、上方反射板１０５によって上向きに反射した反射光により上方を照らす。また、下方への照明は、カバー１０３によって蛍光ランプ１００からの下方への直接光を遮るとともに、下方反射板１０６によって下方へ反射した反射光のみで照らしている。
【先行技術文献】
【特許文献】
【０００４】
【特許文献１】特開２００７−１３４１７４号公報（第１図）
【発明の概要】
【発明が解決しようとする課題】
【０００５】
ところで、間接照明用の照明器具を、例えば、通路や廊下の壁際に沿って天井に埋め込んで使用する場合、蛍光ランプの上向きの光をすべて下方へ反射する反射板を設けるとともに、蛍光ランプの下方に真下への直接光を遮るための遮光板を設ける場合がある。このような場合には、蛍光ランプの交換は、遮光板を取り外して行う。
しかしながら、遮光板がネジ止めされている場合には、ネジを外して蛍光ランプの交換を行わねばならず、交換作業が面倒であるという問題があった。
【０００６】
本発明は、従来の問題を解決するためになされたもので、壁際に沿って天井に埋め込んで使用する照明器具であって容易に蛍光ランプの交換を行うことができる照明器具を提供することを目的とする。
【課題を解決するための手段】
【０００７】
本発明の照明器具は、長尺板状の第１の側板及び第２の側板、並びに両側板の上端部を連結する長尺板状の天板を有し、前記第１の側板を壁面に当接させて天井面に埋込配設される下面を開口した長尺箱形の器具本体と、前記第１の側板に取り付けられたソケット取付金具に取り付けられ、直管形の蛍光ランプが着脱自在に装着されるソケットと、前記器具本体内部において前記天板及び前記第２の側板と前記蛍光ランプとの間の空間に設けられて前記蛍光ランプからの光を下方へ拡散して反射する反射板と、前記第１の側板に設けられて前記壁面に垂直な方向において前記蛍光ランプの反射板側の端面よりも突出し且つ前記蛍光ランプの下方を覆い、前記第１の側板との取付部を支点として上下方向へ回動可能に支持された遮光板と、を備え、前記器具本体を長手方向へ連結して使用する照明器具であって、前記ソケット取付金具から延出した延出部を設け、前記遮光板に一端が固定され、前記延出部に離脱可能に係止されて閉じた状態を維持可能なバネ部材を設けた構成を有している。
【０００８】
この構成により、蛍光ランプは、器具本体の第１の側板に取り付けられたソケット取付金具のソケットに着脱可能に装着される。蛍光ランプの上方には、器具本体の天板があり、上方から前方には、蛍光ランプの光を下方へ反射する反射板がある。蛍光ランプの下方には、蛍光ランプの前方まで突出し、回動可能な遮光板がある。そして、ソケット取付金具から延出した延出部を設けるとともに、遮光板に一端が固定されたバネ部材を延出部により離脱可能に係止されるようにしたので、遮光板を閉じた状態で保持できる。また、バネ部材を延出部から離脱させることにより、遮光板を開閉することができる。これにより、遮光板を開けて蛍光ランプを容易に交換することができる。
【０００９】
また、本発明の照明器具は、前記ソケット取付金具の前記延出部が、前記蛍光ランプの光を外部に漏らさない構造を有している。
【００１０】
この構成により、遮光板を閉じた状態で保持するソケット取付金具の延出部から、光が漏れるのを防止することができる。
【００１１】
さらに、本発明の照明器具は、前記取付部が、光を通さない構造を有している。
【００１２】
この構成により、遮光板を第１の側板に対して上下方向へ回動可能に支持する取付部は、光を通さないので、取付部から光が漏れるのを防止することができる。
【発明の効果】
【００１３】
本発明は、ソケット取付金具から延出した延出部を設けるとともに、遮光板に一端が固定されたバネ部材を延出部により離脱可能に係止されるようにしたので、遮光板を閉じた状態で保持できる。また、バネ部材を延出部から離脱させることにより、遮光板を開閉することができる。これにより、遮光板を開けて蛍光ランプを容易に交換することができるという効果を有する照明器具を提供することができるものである。
【図面の簡単な説明】
【００１４】
【図１】本発明の実施形態にかかる照明器具を用いる状態を示す断面図
【図２】本発明の実施形態にかかる照明器具の断面図
【図３】照明器具の分解斜視図
【図４】第２の側板側から見た照明器具の斜視図
【図５】第１の側板側から見た照明器具の斜視図
【図６】（Ａ）はソケット取付金具の正面図、（Ｂ）は（Ａ）中Ｂ方向から見た平面図、（Ｃ）は（Ａ）中Ｃ方向から見た底面図、（Ｄ）は（Ａ）中Ｄ方向から見た側面図、（Ｅ）は（Ａ）中Ｅ方向から見た側面図
【図７】ソケット取付金具の断面図
【図８】遮光板及びソケット取付金具の位置関係を示す断面図
【図９】器具本体の端部に設けられているエンドプレートの取付位置を示す断面図
【図１０】（Ａ）は隣接する照明器具の器具本体を接近させる状態を示す斜視図、（Ｂ）は隣接する器具本体を連結した状態を示す斜視図、（Ｃ）はエンドプレートの突出片に対応してパッキンを設けた場合を示す斜視図、（Ｄ）は器具本体を連結して遮光板を閉じた状態を示す斜視図
【図１１】（Ａ）は左のエンドプレートの正面図、（Ｂ）は（Ａ）中Ｂ方向から見た底面図、（Ｃ）は（Ａ）中Ｃ方向から見た側面図、（Ｄ）は斜視図
【図１２】（Ａ）は右のエンドプレートの正面図、（Ｂ）は（Ａ）中Ｂ方向から見た底面図、（Ｃ）は（Ａ）中Ｃ方向から見た側面図、（Ｄ）は斜視図
【図１３】従来の間接照明用の照明器具の断面図
【発明を実施するための形態】
【００１５】
以下、本発明の第１実施形態の照明器具について、図面を用いて説明する。なお、以下の説明において、図１における上下を上下方向と定めるものとする。
図１に示すように、本発明の実施形態にかかる照明器具１０は、通路や廊下の壁１１際に沿って天井１２に埋め込み、長手方向へ連結して間接照明として使用することができる。
【００１６】
図２及び図３に示すように、長尺板状の第１の側板２１及び第２の側板２２、並びに両側板２１、２２の上端部を連結する長尺板状の天板２３を有し、第１の側板２１を壁面１１に当接させて天井面１２に埋め込み配設される下面が開口した器具本体２０を有する。
【００１７】
図２〜図５に示すように、器具本体２０は、第１の側板２１、第２の側板２２並びに両側板２１、２２の上端部を連結する天板２３を所定間隔で設けられている補強板２６に取り付けて、断面コ字状に保持されている。器具本体２０の長手方向の長さは、蛍光ランプ３２の長手方向の長さと略一致するような箱体に形成されており、天井面１２よりも上方に位置する天井面（図示せず）から垂下する複数の吊りボルト１３によって吊持されて、天井面１２に埋め込まれている。
【００１８】
器具本体２０内部において、第１の側板２１の内面には、直管形の蛍光ランプ３２が着脱自在に装着される一対のソケット３１、３１を取り付けるためのソケット取付金具３０が取り付けられる。また、天板２３及び第２の側板２２と、蛍光ランプ３２との間の空間には、蛍光ランプ３２の光を下方に拡散して反射する反射板２４が設けられている。さらに、第１の側板２１の下端部には、壁面１１に垂直な方向（以下、「水平方向」と呼ぶ。）において、蛍光ランプ３２の反射板２４側の端面３２１よりも突出して蛍光ランプ３２の下方を覆う遮光板２５が設けられている。
【００１９】
反射板２４と天板２３との間の空間には、天井裏に配線されている商用電源に接続されて電力が供給される端子台や、端子台に接続配線されている点灯装置等が天板２３の下面に取り付けられて収容される。ソケット３１は、点灯装置に接続されており、電力の供給を受ける。
従って、商用電源からの電力は、端子台を介して照明器具１０の点灯装置に供給され、さらにソケット３１に送られて、蛍光ランプ３２を点灯させる。
【００２０】
図６及び図７にも示すように、ソケット取付金具３０は、鉛直な板状の第１の取付板３３と、第１の取付板３３の上端部から第２の側板２２に向かって水平方向へ延設された第２の取付板３４と、第１の取付板３３の下端部から第２の側板２２に向かって下方に傾斜して延設された延出部３５を有する。
第１の取付板３３は、所定間隔で設けられているネジ孔３３２において第１の側板２１にネジ止め（ネジ３３３）される。
【００２１】
第２の取付板３４はソケット取付金具３０の全長にわたって設けられており、照明器具１０の略全長となる。第１の取付板３３の長手方向両端部は、上下方向の折り線３３１に沿って第２の側板２２方向へ垂直に折り曲げられて、ソケット３１を取り付けるソケット取付部３６が形成されている。折り線３３１は、ソケット取付金具３０の全長である第２の取付板３４の両端面よりも若干（例えば、数ｍｍ程度）内側に設けられている。これにより、ソケット取付部３６は、蛍光ランプ３２を保持する位置にソケット３１を取り付けるべく、所定間隔で対向することになる。
【００２２】
ソケット取付金具３０の延出部３５は、第１の取付板３３の下端部から前下方へ斜めに設けられた支持板３５１と、支持板３５１の先端の折り曲げ点３５３から鉛直上方へ折り曲げ形成された係止板３５２とを有する。支持板３５１及び係止板３５２は、一対のソケット取付部３６、３６の間に設けられており、第１の取付板３３の長さよりも若干（例えば、数ｍｍ程度）短くなっている。延出部３５は、金属板を折り曲げにより形成し、器具本体２０の略全長にわたって設けられているので、延出部３５から蛍光ランプ３２の光が外部に漏れることはない。
【００２３】
図２及び図３に示すように、反射板２４は金属板から形成され、上端に設けられた平面状の水平部２４１と、水平部２４１に連続して断面略４分の１円弧状に下方へ湾曲した湾曲部２４２と、湾曲部２４２の下端から下方へ延設された垂下部２４３を有する。水平部２４１は、ネジ２４４によりソケット取付金具３０の第２の取付板３４の下面に取り付けられる。反射板２４の蛍光ランプ３２と対向する内面は、白色に塗装されて光を反射するようになっている。湾曲部２４２及び垂下部２４３の内面には、例えば、微細な凹凸等が設けられており、入射した光を拡散して反射するようになっている。
【００２４】
反射板２４の垂下部２４３の下端部には非反射部材２４５が取り付けられている。この非反射部材２４５は例えばつや消し等で塗装されており、光を吸収する。これにより、ソケット３１によって暗くなっている部分と、両ソケット３１、３１間の明るい部分との明るさの差を小さくしている。
【００２５】
非反射部材２４５の下端部に連続するように、第２の側板２２の下方に、第２の側板２２と天井面１２との間の空間を覆う取付枠４０が取り付けられている。取付枠４０の下端部には、水平前方に延出する係止片４１が設けられており、この係止片４１の上面が天井面１２の下面に当接する。
これにより、第２の側板２２と天井面１２との間の空間を、隙間なく覆う。
【００２６】
図８に示すように、遮光板２５は、金属板を折り曲げ形成して、照明器具１０の略全長にわたって設けられている。遮光板２５は、蛍光ランプ３２からの光を遮る平面状の遮光部２５１と、遮光部２５１の前端部を直角に折り返し、さらに先端を１８０度折り返して形成された前端部２５２と、遮光部２５１の後端部を上側に１８０度折り返した支持部２５３と、支持部２５３の前端を直角に曲げ上げた係止部２５４を有する。支持部２５３の後端部（第１の側板２１側端部）は、第１の側板２１との取付部であるヒンジ２５５を介して第１の側板２１の下端部に取り付けられている。ヒンジ２５５は、長手方向に所定間隔で複数個（例えば、３個）設けられている。
これにより、遮光板２５は、第１の側板２１に対して上下方向へ回動可能に支持されることになる。
【００２７】
遮光板２５の係止部２５４には、バネ部材２７がネジ２７１により取り付けられている。バネ部材２７は、ソケット取付金具３０の延出部３５により遮光板２５を上方へ回動させて閉じた状態（図８に示す状態）で、保持するための部材である。遮光板２５を閉じた状態では、延出部３５の折り曲げ点３５３が遮光板２５の支持部２５３の上面に当接するとともに、係止部３５２の上端がバネ部材２７によって保持され、遮光板２５が下方へ回動しないように係止される。
【００２８】
従って、照明器具１０の使用時である遮光板２５を閉じた状態では、延出部３５の折り曲げ点３５３が遮光板２５に接触しているので、蛍光ランプ３２の光が、遮光板２５と延出部３５との間から漏れ、第１の側板２１と遮光板２５の取付部であるヒンジ２５５から、蛍光ランプ３２の光が漏れることはない。なお、延出部３５の折り曲げ点３５３と遮光板２５との間にパッキンを設けて、一層確実に光の漏れを防止することも可能である。
【００２９】
バネ部材２７は、係止板２５４にネジ２７１で取り付けられる取付部２７２と、取付部２７２の先端（上端）を第１の側板２１側に屈曲させた一端としての係止部２７３と、係止部２７３の先端を略直角に前方（第２の側板２２側）へ折り曲げた先端部２７４とを有する。バネ部材２７は、延出部３５の長手方向に沿って所定間隔で複数箇所（ここでは、ヒンジ２５５位置に対応して３箇所（図３参照））設ける。
【００３０】
遮光板２５を閉じた状態において、バネ部材２７の係止部２７３がソケット取付金具３０の延出部３５の係止部３５２により保持されるため、係止部２７３の先端部２７４側が、ヒンジ２５５を中心として係止部３５２の先端を通る円Ｒの内側に位置するようにする。なお、遮光板２５を閉じる際に、係止部３５２がバネ部材２７の係止部２７３に無理なく達するようにするため、係止部２７３は円Ｒの接線に近い角度で設ける。
【００３１】
図２を参照して、蛍光ランプ３２の交換時等における遮光板２５の開閉について説明する。
照明器具１０の使用時には、ヒンジ２５５を中心として遮光板２５を上方へ回動させ、ソケット取付金具３０の延出部３５により遮光板２５のバネ部材２７を係止する。これにより、遮光板２５の閉じた状態を維持する（図２中実線で表示）。
一方、遮光板２５を下方へ開ける場合には、遮光板２５の先端部を下方へ押し下げる。これにより、遮光板２５のバネ部材２７の係止部２７３が延出部３５の係止板３５２に押されて弾性変形し、バネ部材２７が係止板３５２を乗り越えて、遮光板２５が開かれる（図２中破線で表示）。
【００３２】
図９および図１０に示すように、器具本体１０の長手方向両端である第１の側板２１の長手方向両端部における下端部には、エンドプレート５０が設けられている。第１の側板２１の左端には左用エンドプレート５０Ａが設けられ、右端には右用エンドプレート５０Ｂが取り付けられる。なお、エンドプレートを総称する際には、「エンドプレート５０」で表示する。
【００３３】
図１１及び図１２に示すように、各エンドプレート５０Ａ、５０Ｂは、上辺が水平な三角形の平板状をした腹板５１Ａ、５１Ｂを有し、腹板５１Ａ、５１Ｂの縦辺に沿って取付部５２Ａ、５２Ｂが折り曲げ形成されている。取付部５２Ａ、５２Ｂは、左右いずれのエンドプレート５０Ａ、５０Ｂにおいても器具本体１０の内側へ折り曲げられている。すなわち、左のエンドプレート５０Ａでは右方向へ、左のエンドプレート５０Ｂでは左方向へ折り曲げられている。
【００３４】
各エンドプレート５０Ａ、５０Ｂの腹板５１Ａ、５１Ｂには、対応した位置に連結用のネジ孔５４Ａ、５４Ｂが設けられている。エンドプレート５０Ａ、５０Ｂの連結については、後述する。なお、左のエンドプレート５０Ａの腹板５１Ａには例えば「Ａ」の刻印を設け、右のエンドプレート５０Ｂの腹板５１Ｂには例えば「Ｂ」の刻印を設けて、誤取付を防止するのが望ましい。
【００３５】
また、服板５１Ａ、５１Ｂの斜辺に沿って、突出片５３Ａ、５３Ｂが折り曲げ形成されている。突出片５３Ａ、５３Ｂは、左右いずれのエンドプレート５０Ａ、５０Ｂにおいても、同じ方向へ折り曲げられている。すなわち、左のエンドプレート５０Ａ及び右のエンドプレート５０Ｂにおいても、例えば、器具本体２０に向かって右方向へ折り曲げられている。
従って、左のエンドプレート５０Ａにおいては、取付部５２Ａ及び突出片５３Ａは同じ方向（右方向）へ折り曲げられ（図１１（Ｃ）参照）、右のエンドプレート５０Ｂにおいては、取付部５２Ａ及び突出片５３Ａは反対方向へ折り曲げられる（図１２（Ｃ）参照）。
【００３６】
次に、図１０を参照して、複数個の照明器具１０を長手方向へ連結する場合について説明する。
隣接する照明器具１０を連結する際には、壁１１際に沿って天井１２に設けられている照明器具用の空間に照明器具１０を配置する（図１参照）。そして、図１０（Ａ）に示すように、遮光板２５を開けた状態で、左の照明器具１０の右のエンドプレート５０Ｂの腹板５１Ｂと、右の照明器具１０の左のエンドプレート５０Ａの腹板５１Ａとを面接触させ、腹板５１Ａ、５１Ｂに設けられている取付孔５４Ａ、５４Ｂに取付ネジ（図示省略）を通して締結する（図１０（Ｂ）参照）。
【００３７】
このとき、左の照明器具１０の右のエンドプレート５０Ｂの突出片５３Ｂと、右の照明器具１０の左のエンドプレート５０Ａの突出片５３Ａとが干渉することなく重なるように、突出片５３Ａと突出片５３Ｂをずらして設けておく。すなわち、左の照明器具１０の右のエンドプレート５０Ｂの突出片５３Ｂが、右の照明器具１０の左のエンドプレート５０Ａの突出片５３Ａの外側（下側）に重なるように折り曲げ形成する。その後、遮光板２５を閉じる（図１０（Ｄ）参照）。
【００３８】
なお、図１０（Ｃ）及び（Ｄ）に示すように、遮光板２５の端部に、エンドプレート５０の突出片５３を押圧するパッキン５５を設けるのが望ましい。これにより、突出片５３近傍からの光の漏れを防止するとともに、突出片５３を押圧して、重なっている突出片５３がガタつくのを防止することができる。
【００３９】
以上、説明した本発明の実施形態にかかる照明器具１０によれば、器具本体２０の長手方向両端に各々エンドプレート５０Ａ、５０Ｂを設け、隣接するエンドプレート５０Ａ、５０Ｂの縁部に、長手方向へ突出する突出片５３Ａ、５３Ｂを重なるように設けたので、器具本体２０を長手方向へ連結して使用する際に、隣接する器具本体２０の間から蛍光ランプ３２の光が漏れるのを防止して外観を向上させることができる。
【００４０】
また、突出片５３をパッキン５５で覆うことにより、光の漏れを確実に防止することができるとともに、突出片５３をパッキン５５で押圧することにより、隣接するエンドプレート５０Ａ、５０Ｂが離反するのを防止することができる。
【００４１】
また、ソケット取付金具３０から延出した延出部３５を設けるとともに、遮光板２５に一端が固定されたバネ部材２７を延出部３５により離脱可能に係止されるようにしたので、遮光板２５を閉じた状態で保持できる。また、バネ部材２７を延出部３５から離脱させることにより、遮光板２５を開閉することができる。これにより、遮光板２５を開けて蛍光ランプ３２を容易に交換することができる。
【００４２】
また、ソケット取付金具３０の延出部３５が、蛍光ランプ３２の光を外部に漏らさない構造をしているので、遮光板２５を閉じた状態で保持するソケット取付金具３０の延出部３５から、光が漏れるのを防止することができる。
【００４３】
さらに、取付部であるヒンジ２５５が、光を通さない構造をしているので、ヒンジ２５５から光が漏れるのを防止することができる。
【００４４】
なお、本発明の照明器具は、前述した実施形態に限定されるものでなく、適宜な変形，改良等が可能である。
例えば、前述した実施形態においては、照明器具１０の左右のエンドプレート５０Ａ、５０Ｂに各々突出片５３Ａ、５３Ｂを設けた場合を例示したが、一方のエンドプレート５０のみに突出片５３を設けて、他方のエンドプレート５０を突出片５３で覆うようにすることも可能である。
【符号の説明】
【００４５】
１０  照明器具
１１  壁面
１２  天井面
２０  器具本体
２１  第１の側板
２２  第２の側板
２３  天板
２４  反射板
２５  遮光板
２５５  ヒンジ（取付部）
２７  バネ部材
２７２  取付部（一端）
３０  ソケット取付金具
３１  ソケット
３２  蛍光ランプ
３２１  反射板側の端面
３５  延出部
【図１】
2010244991.tif 000003
【図２】
2010244991.tif 000004
【図３】
2010244991.tif 000005
【図４】
2010244991.tif 000006
【図５】
2010244991.tif 000007
【図６】
2010244991.tif 000008
【図７】
2010244991.tif 000009
【図８】
2010244991.tif 000010
【図９】
2010244991.tif 000011
【図１０】
2010244991.tif 000012
【図１１】
2010244991.tif 000013
【図１２】
2010244991.tif 000014
【図１３】
2010244991.tif 000015